(57)【特許請求の範囲】
【請求項１】
上流端側において供給された搬送物を１個ずつ個別に整列させて下流端側に搬送する整列搬送路と、前記整列搬送路の上流端から途中までの間であって、前記整列搬送路の片側もしくは両側に設けられ、前記整列搬送路から外れた搬送物を所定の回収場所に回収させる回収路と、を備え、
前記整列搬送路は、搬送物が載るコンベア搬送面上に搬送方向にエンドレスに設けられ、かつ、搬送物を１個ずつ個別に整列させて保持し得る間隔を有する２本の整列桟と、前記２本の整列桟の下流端に対向して設けられ、前記２本の整列桟により１個ずつ個別に整列されて搬送された搬送物を後段側装置に搬送する乗り継ぎシュートとから構成されており、前記回収路は、前記コンベア搬送面上のうち、前記２本の整列桟の片側もしくは両側から構成されており、前記２本の整列桟から外れた搬送物を下流端において所定の回収場所に回収させるものであり、
前記搬送物は、形状や大きさが種種雑多なボトル、カップ、容器その他のプラスチック製の廃棄物であることを特徴とする整列コンベア装置。
【請求項２】
前記整列搬送路は、搬送物が載るコンベア搬送面上の両側縁に２本の整列桟が搬送物を１個ずつ個別に整列させて保持し且つ搬送物をセンターリングにより安定させる間隔をおいて搬送方向にエンドレスに設けられてなる整列搬送コンベアから構成されており、前記回収路は、前記整列搬送コンベアの上流端から途中までの間であって、前記整列搬送コンベアの片側もしくは両側に並列に併設されており、前記整列搬送コンベアから外れた搬送物を所定の回収場所に回収させる回収コンベアから構成されている、ことを特徴とする請求項１に記載の整列コンベア装置。
【請求項３】
前記整列桟は、内側上角部に傾斜角度を有することを特徴とする請求項１または２に記載の整列コンベア装置。
【請求項４】
前記回収路には、搬送物を前記整列搬送路に強制的に掻き寄せる掻き寄せ板が設けられ、
当該掻き寄せ板は、回収路の上流側から下流側にかけて、その幅が徐々に狭くなるように湾曲し、下流側において前記２本の整列桟の幅となり、
更に、当該掻き寄せ板は、前記搬送物が乗り越える作用と、搬送物が乗り越えられない作用と、２本の整列桟の間に入っている搬送物をはじき出して自ら２本の整列桟の間に入れる作用とを有する、ことを特徴とする請求項１〜３のいずれか一つに記載の整列コンベア装置。
【請求項５】
上記請求項１〜４のいずれか一つに記載の整列コンベア装置に対して循環コンベア装置が設けられ、
この循環コンベア装置は、上流端側が前記回収路の下流端側の回収場所に配置されており、下流端側が前記整列コンベア装置の上流端側に配置されており、前記整列搬送路から外れて回収場所に回収された搬送物を前記整列コンベア装置の上流端側に循環させる、ことを特徴とする整列搬送装置。
【発明の詳細な説明】
【０００１】
【発明の属する技術分野】
この発明は、形状や大きさが種種雑多な搬送物、たとえば、ボトル、カップ、容器などのプラスチック製の廃棄物（以下、単に搬送物と称する）を１個ずつ整列させて後段側装置に搬送する整列コンベア装置およびその整列コンベア装置が具備された整列搬送装置に関するものである。
【０００２】
【従来の技術】
以下、従来のこの種の整列搬送装置を図１０に示すコンベア式および図１１に示すターンテーブル式について説明する。この例は、搬送物が形状や大きさが様様なボトル、カップ、容器などのプラスチック製の廃棄物である場合の例について説明する。
【０００３】
図１０において、ａはコンベア式整列搬送装置である。このコンベア式整列搬送装置ａの中流部分の一側縁には、複数枚の掻き寄せ板ｂが設けられている。白抜き矢印に示すように、前記コンベア式整列搬送装置ａの上流端側（テールプーリー側）に搬送物ｃを供給する。すると、その搬送物ｃは、前記コンベア式整列搬送装置ａのコンベア搬送面上を、実線矢印方向に、上流端側から下流端側（トッププーリー側）へと搬送される。この搬送途中において、搬送物ｃは、前記複数枚の掻き寄せ板ｂにより、前記コンベア式整列搬送装置ａの他側縁に掻き寄せられて整列させられる。このコンベア式整列搬送装置ａにより整列させられた搬送物ｃは、後段側装置ｄに搬送される。
【０００４】
図１１において、ｅはターンテーブル式整列搬送装置である。このターンテーブル式整列搬送装置ｅは、コーンテーブルｆと外周テーブルｇとから構成されている。白抜き矢印に示すように、前記コーンテーブルｆに搬送物ｃを供給する。すると、その搬送物ｃは、実線矢印に示すように、前記コーンテーブルｆ上で徐々に整列させられて前記外周テーブルｇに乗り移り、後段側装置ｄに搬送される。なお、このターンテーブル式整列搬送装置としては、たとえば、特許公開２０００−２５５７５２号公報に記載のものがある。
【０００５】
前記後段側装置ｄは、搬送物ｃを材質毎に選別して回収するプラスチックボトル選別回収装置である。このプラスチックボトル選別回収装置ｄは、図１０および図１１に示すように、上流端側（テールプーリー側）が前記コンベア式整列搬送装置ａの下流端側もしくは前記ターンテーブル式整列搬送装置ｅの外周テーブルｇの下流端側に対向して設置された選別コンベア装置ｈと、この選別コンベア装置ｈの上流端部に設けられた材質識別装置ｉと、この材質識別装置ｉの識別結果に基づいて搬送物ｃを材質毎に選別して回収箱ｊにそれぞれ回収させる仕分け装置ｋとから構成されている。
【０００６】
【発明が解決しようとする課題】
ところが、前記コンベア式整列搬送装置ａおよびターンテーブル式整列搬送装置ｅにおいては、図１０および図１１中の円に囲まれた部分に示すように、搬送物ｃが横に並んだ状態で後段側装置ｄに搬送してしまうことがある。
【０００７】
搬送物ｃが横に並んだ状態で後段側装置ｄに搬送されると、下記の不具合が発生する場合がある。すなわち、横に並んだ搬送物ｃの材質が異なる場合。この場合においては、材質識別装置ｉにより、横に並んだ搬送物ｃのうちの一方の材質が識別され、かつ、仕分け装置ｋにより、識別された材質の回収箱ｊにその材質と異なった材質の搬送物ｃが回収される不具合がある。
【０００８】
この発明は、搬送物を確実に１個ずつ個別に整列させて搬送することができる整列コンベア装置およびその整列コンベア装置が具備された整列搬送装置を提供することを目的とする。
【０００９】
【課題を解決するための手段】
上記目的を達成するため、この発明にかかる整列コンベア装置は、上流端側において供給された搬送物を１個ずつ個別に整列させて下流端側に搬送する整列搬送路と、前記整列搬送路の上流端から途中までの間であって、前記整列搬送路の片側もしくは両側に設けられ、前記整列搬送路から外れた搬送物を所定の回収場所に回収させる回収路と、を備え、前記整列搬送路は、搬送物が載るコンベア搬送面上に搬送方向にエンドレスに設けられ、かつ、搬送物を１個ずつ個別に整列させて保持し得る間隔を有する２本の整列桟と、前記２本の整列桟の下流端に対向して設けられ、前記２本の整列桟により１個ずつ個別に整列されて搬送された搬送物を後段側装置に搬送する乗り継ぎシュートとから構成されており、前記回収路は、前記コンベア搬送面上のうち、前記２本の整列桟の片側もしくは両側から構成されており、前記２本の整列桟から外れた搬送物を下流端において所定の回収場所に回収させるものであり、前記搬送物は、形状や大きさが種種雑多なボトル、カップ、容器その他のプラスチック製の廃棄物であることを特徴とする。
【００１１】
つぎの発明に係る整列コンベア装置は、上記発明において、前記整列搬送路は、搬送物が載るコンベア搬送面上の両側縁に２本の整列桟が搬送物を１個ずつ個別に整列させて保持し且つ搬送物をセンターリングにより安定させる間隔をおいて搬送方向にエンドレスに設けられてなる整列搬送コンベアから構成されており、前記回収路は、前記整列搬送コンベアの上流端から途中までの間であって、前記整列搬送コンベアの片側もしくは両側に並列に併設されており、前記整列搬送コンベアから外れた搬送物を所定の回収場所に回収させる回収コンベアから構成されている、ことを特徴とする。
【００１３】
つぎの発明に係る整列コンベア装置は、上記発明において、前記整列桟は、内側上角部に傾斜角度を有することを特徴とする。
【００１５】
つぎの発明に係る整列コンベア装置は、上記発明において、前記回収路には、搬送物を前記整列搬送路に強制的に掻き寄せる掻き寄せ板が設けられ、当該掻き寄せ板は、回収路の上流側から下流側にかけて、その幅が徐々に狭くなるように湾曲し、下流側において前記２本の整列桟の幅となり、更に、当該掻き寄せ板は、前記搬送物が乗り越える作用と、搬送物が乗り越えられない作用と、２本の整列桟の間に入っている搬送物をはじき出して自ら２本の整列桟の間に入れる作用とを有する、ことを特徴とする。
【００１７】
つぎの発明に係る整列搬送装置は、上記整列コンベア装置に対して循環コンベア装置が設けられ、この循環コンベア装置は、上流端側が前記回収路の下流端側の回収場所に配置されており、下流端側が前記整列コンベア装置の上流端側に配置されており、前記整列搬送路から外れて回収場所に回収された搬送物を前記整列コンベア装置の上流端側に循環させる、ことを特徴とする。
【００１９】
【発明の実施の形態】
以下、この発明にかかる整列コンベア装置および整列搬送装置の実施の形態の２例を図１〜図９を参照して説明する。なお、この実施形態によりこの整列コンベア装置および整列搬送装置が限定されるものではない。
【００２０】
（実施の形態１の構成の説明）
図１〜図６は、この発明にかかる整列コンベア装置および整列搬送装置の実施の形態１を示す。この例の整列コンベア装置および整列搬送装置が搬送する搬送物は、形状や大きさが種種雑多なボトル、カップ、容器などのプラスチック製の廃棄物である。
【００２１】
図において、１はこの実施の形態１における整列コンベア装置である。２は循環コンベア装置である。３は後段側装置である。前記整列コンベア装置１と前記循環コンベア装置２とにより、この実施の形態１における整列搬送装置が構成されるものである。
【００２２】
前記整列コンベア装置１は、ベルトコンベア５から構成されている。このベルトコンベア５の搬送物４が載るコンベア搬送面（ベルト面）上のほぼ中央部には、２本の整列桟６、６が搬送方向（実線矢印方向）にエンドレスに一体に突設されている。この２本の整列桟６、６の間隔Ａは、搬送物４を１個ずつ個別に整列させて保持し得る間隔とする。
【００２３】
この例における前記間隔Ａは、約３０ｍｍとする。これは、図２に示すように、小円筒形の容器４Ａ、大円筒形の容器４Ｂ、大四角筒形の容器４Ｃ、その他図示されない種々様様な形状や大きさのボトル、カップ、容器などの搬送物４を、センターリングにより安定させる間隔である。
【００２４】
また、前記２本の整列桟６、６の各寸法および形状は、図２に示す通りである。すなわち、２本の整列桟６、６の幅Ｂおよび高さＣは、約４０ｍｍおよび約２０ｍｍとする。これは、前記搬送物４の座りが良く、かつ、ベルトコンベア５のプーリー（トッププーリーおよびテールプーリー）との巻き込みに不具合がない幅および高さである。
【００２５】
さらに、前記２本の整列桟６、６の内側上角部の傾斜寸法Ｄおよび傾斜角度は、約１０ｍｍおよび約４５°とする。これは、前記と同様に、前記搬送物４を安定させるためのものである。
【００２６】
さらにまた、前記２本の整列桟６、６の外側の傾斜角度θは、約４５°とする。これは、搬送物４が２本の整列桟６、６の外側から内側に乗り上げ易くするためのものである。
【００２７】
なお、前記２本の整列桟６、６の寸法および形状は、図２に示すものに限定されない。たとえば、図４（Ａ）の四角形の２本の整列桟６Ａ、６Ａ、（Ｂ）の三角形の２本の整列桟６Ｂ、６Ｂ、（Ｃ）の台形の２本の整列桟６Ｃ、６Ｃ、あるいは、その他の形状および寸法のものであっても良い。
【００２８】
前記２本の整列桟６、６の下流端と、前記後段側装置３の選別コンベア装置の上流端（テールプーリー）との間には、乗り継ぎシュート７が設けられている。この乗り継ぎシュート７は、断面Ｖ字形状をなす。この乗り継ぎシュート７の上流端が前記２本の整列桟６、６の下流端に対向し、かつ、この乗り継ぎシュート７の下流端が前記選別コンベア装置の上流端に対向する。
【００２９】
前記乗り継ぎシュート７は、前記２本の整列桟６、６により１個ずつ個別に整列されて搬送された搬送物４を後段側装置３に乗り継ぎ搬送するものである。この乗り継ぎシュート７と前記２本の整列桟６、６とにより、前記整列コンベア装置１の整列搬送路を構成する。
【００３０】
前記ベルトコンベア５のコンベア搬送面上のうち、前記２本の整列桟６、６の両側には、回収路８、８がそれぞれ構成されている。この回収路８、８は、前記２本の整列桟６、６から外れた搬送物４を下流端（ヘッドプーリー）において所定の回収場所に回収させるものである。
【００３１】
前記回収路８、８には、掻き寄せ手段としての掻き寄せ板９、９がそれぞれ設けられている。この掻き寄せ板９、９は、上流側から下流側にかけて、２枚の掻き寄せ板９、９の幅が徐々に狭くなるように湾曲している。
【００３２】
すなわち、上流側において、２枚の掻き寄せ板９、９の幅は、前記ベルトコンベア５の全幅に亘っている。また、下流側において、２枚の掻き寄せ板９、９の幅は、前記２本の整列桟６、６の幅となっている。この掻き寄せ板９、９は、ベルトコンベア５の上流端側に供給された搬送物４を２本の整列桟６、６の間に強制的に掻き寄せるものである。なお、この掻き寄せ手段としては、前記掻き寄せ板９、９の板状のもの以外のもの、たとえば、ブロック状のものであっても良い。
【００３３】
すなわち、この掻き寄せ板９、９の掻き寄せ作用は、搬送物４が乗り越える作用と、搬送物４が乗り越えられない作用と、２本の整列桟６、６の間に入っている搬送物４をはじき出して自ら（搬送物４）２本の整列桟６、６の間に入る作用とがある。
【００３４】
このように、この実施の形態１における整列コンベア装置１は、２本の整列桟６、６および乗り継ぎシュート７から構成された整列搬送路と、回収路８、８と、掻き寄せ板９、９とを備えることとなる。
【００３５】
前記循環コンベア装置２は、ほぼ半円形の螺旋ベルトコンベア１０から構成されている。この螺旋ベルトコンベア１０のコンベア搬送面（ベルト面）上には、滑り止め用桟１１が搬送方向（実線矢印）に対してほぼ直行する方向に所定の間隔を置いて設けられている。
【００３６】
前記循環コンベア装置２の低位置の上流端側（テールプーリー側）は、前記回収路８、８の下流端側の回収場所に配置されている。また、前記循環コンベア装置２の高位置の下流端側（ヘッドプーリー側）は、前記整列コンベア装置１の上流端側に配置されている。この循環コンベア装置２は、前記整列搬送路（前記２本の整列桟６、６および乗り継ぎシュート７）から外れて回収場所に回収された搬送物４を前記整列コンベア装置１の上流端側に循環させるものである。
【００３７】
そして、前記整列コンベア装置１と前記循環コンベア装置２とにより、この実施の形態１における整列搬送装置が構成されるものである。
【００３８】
前記後段側装置３は、図１０および図１１に示した前記後段側装置ｄと同様に搬送物４を材質毎に選別して回収するプラスチックボトル選別回収装置であって、前記プラスチックボトル選別回収装置ｄと同様の構成からなる。この後段側装置３であるプラスチックボトル選別回収装置は、たとえば、ＰＥＴ（ポリエチレンテレフタレート）と、ＰＶＣ（ポリ塩化ビニール）と、ＰＳ（ポリスチレン）およびＰＥ（ポリエチレン）およびＰＰ（ポリプロピレン）と、その他のものとにそれぞれ選別して回収するものである。なお、この選別回収の種類は、ニーズに応じて、２〜６種類のうちから任意に選択できる。
【００３９】
（実施の形態１の作用の説明）
この実施の形態１における整列コンベア装置１および整列搬送装置は、以上の如き構成からなり、以下、その作用について説明する。
【００４０】
まず、搬送物４を循環コンベア装置２のたとえば中流部分に供給する。すると、その搬送物４は、循環コンベア装置２を上流側から下流側に搬送され、白抜き矢印に示すように、循環コンベア装置２の下流端側から整列コンベア装置１の上流端側に供給される。
【００４１】
整列コンベア装置１の上流端側に供給された搬送物４は、２枚の掻き寄せ板９、９により２本の整列桟６、６の間に強制的に掻き寄せられてその２本の整列桟６、６の間に入るものと、その２本の整列桟６、６から外れてその２本の整列桟６、６の両側の回収路８、８上に残るものとに分けられる。
【００４２】
前記２本の整列桟６、６の間に入った搬送物４は、整列コンベア装置１（ベルトコンベア５）の搬送に伴なって、実線矢印に示すように、その２本の整列桟６、６により１個ずつ個別に整列され、かつ、乗り継ぎシュート７により後段側装置３に乗り継ぎ搬送される。
【００４３】
一方、２本の整列桟６、６から外れて回収路８、８上に残った搬送物４は、整列コンベア装置１（ベルトコンベア５）の下流端において、二点鎖線矢印に示すように、乗り継ぎシュート７の両側から所定の回収場所、すなわち、循環コンベア装置２（螺旋ベルトコンベア１０）の上流端側に回収される。この回収された搬送物４は、循環コンベア装置２を介して整列コンベア装置１の上流端側に再度供給される。
【００４４】
（実施の形態１の効果の説明）
このように、この実施の形態１における整列コンベア装置１は、搬送物４を確実に１個ずつ個別に整列させて搬送することができる。また、この実施の形態１における整列搬送装置は、供給された搬送物４を残すことなくかつ確実に１個ずつ個別に整列させて搬送することができる。
【００４５】
これにより、この実施の形態１における整列コンベア装置１および整列搬送装置は、搬送物４が横に並んだ状態で後段側装置３（プラスチックボトル選別回収装置）に搬送されて、識別された材質の回収箱にその材質と異なった材質の搬送物４が回収されると言った不具合がない。
【００４６】
特に、この実施の形態１においては、掻き寄せ板９、９を設けたので、搬送物４を整列搬送路の２本の整列桟６、６の間に強制的に掻き寄せることができるので、供給された搬送物４を効率良くかつ確実に１個ずつ個別に整列させて搬送することができる。
【００４７】
なお、前記実施の形態１において、回収路８、８がベルトコンベア５のうち２本の整列桟６、６の両側に設けられているものであるが、この回収路は、ベルトコンベア５のうち２本の整列桟６、６の片側に設けられていても特に問題はない。
【００４８】
（実施の形態１の変形例）
図７は実施の形態１の変形例を示す斜視図である。図中、図１〜図６と同符号は、同一のものを示す。
【００４９】
この変形例は、循環コンベア装置２として、前記の螺旋ベルトコンベア１０の代わりに高低差付きのベルトコンベア１２を使用したものである。前記循環コンベア装置２としては、前記のように、高低差があれば、どのようなコンベアであっても良い。
【００５０】
（実施の形態２の構成の説明）
図８は実施の形態２を示す斜視図である。図中、図１〜図７と同符号は、同一のものを示す。
【００５１】
この実施の形態２における整列コンベア装置１３は、整列搬送路としての整列搬送コンベア１４と、回収路としての回収コンベア１５、１５とを備えるものである。
【００５２】
前記整列搬送コンベア１４は、ベルトコンベアから構成されている。このベルトコンベアのコンベア搬送面（ベルト面）上の両側縁には、２本の整列桟１６、１６が搬送方向（実線矢印方向）にエンドレスに一体に突設されている。この２本の整列桟１６、１６は、前記実施の形態１における２本の整列桟６、６（６Ａ、６Ａ、６Ｂ、６Ｂ、６Ｃ、６Ｃ）と同様のものである。
【００５３】
前記回収コンベア１５、１５は、同じく、ベルトコンベアから構成されている。この回収コンベア１５、１５は、前記整列搬送コンベア１４の上流端から途中までの間であって、前記整列搬送コンベア１４の両側に並列に併設されている。この回収コンベア１５、１５は、前記整列搬送コンベア１４から外れた搬送物（なお、図８においては図示せず）を所定の回収場所に回収させるものである。
【００５４】
（実施の形態２の作用の説明）
この実施の形態２における整列コンベア装置１３は、以上の如き構成からなり、以下、その作用について説明する。
【００５５】
まず、整列コンベア装置１３の上流端側に搬送物を供給する。すると、その搬送物は、２枚の掻き寄せ板９、９により、整列搬送コンベア１４の２本の整列桟１６、１６の間に強制的に掻き寄せられてその２本の整列桟１６、１６の間に入るものと、その整列搬送コンベア１４の２本の整列桟１６、１６から外れてその整列搬送コンベア１４の両側の回収コンベア１５、１５上に残るものとに分けられる。
【００５６】
前記２本の整列桟１６、１６の間に入った搬送物は、整列搬送コンベア１４の搬送に伴なって、実線矢印に示すように、その２本の整列桟１６、１６により１個ずつ個別に整列されて、後段側装置３に搬送される。
【００５７】
一方、２本の整列桟１６、１６から外れて回収コンベア１５、１５上に残った搬送物は、回収コンベア１５、１５の下流端において、二点鎖線矢印に示すように、所定の回収場所に回収される。
【００５８】
（実施の形態２の効果の説明）
このように、この実施の形態２における整列コンベア装置１３は、搬送物を確実に１個ずつ個別に整列させて搬送することができる。これにより、この実施の形態２における整列コンベア装置１３は、前記実施の形態１における整列コンベア装置１および整列搬送装置と同様に、搬送物が横に並んだ状態で後段側装置３（プラスチックボトル選別回収装置）に搬送されて、識別された材質の回収箱にその材質と異なった材質の搬送物が回収されると言った不具合がない。
【００５９】
なお、前記実施の形態２において、回収コンベア１５、１５が整列搬送コンベア１４の２本の整列桟１６、１６の両側に設けられているものであるが、回収コンベアは、整列搬送コンベア１４の２本の整列桟１６、１６の片側に設けられていても特に問題はない。
【００６０】
また、前記実施の形態２において、前記実施の形態１のように、循環コンベア装置２（螺旋ベルトコンベア１０、高低差付きのベルトコンベア１２）を配置しても良い。
【００６１】
（実施の形態２の変形例）
図９は実施の形態２の変形例を示す斜視図である。図中、図１〜図８と同符号は、同一のものを示す。
【００６２】
この変形例は、整列搬送コンベア１４の両側の回収コンベア１５、１５を傾斜させたものである。このように構成すると、搬送物が整列搬送コンベア１４に寄せられるので、掻き寄せ板９、９を設けなくとも、搬送物を整列搬送コンベア１４に強制的に寄せることができるので、供給された搬送物を効率良くかつ確実に１個ずつ個別に整列させて搬送することができる。
【００６３】
（実施の形態１、２以外の例の説明）
なお、前記実施の形態１、２においては、搬送物として、形状や大きさが種種雑多なボトル、カップ、容器などのプラスチック製の廃棄物について説明した。ところが、この発明は、搬送物として、前記の物（プラスチック製の廃棄物）以外の形状や大きさが種種雑多なものであっても、確実に１個ずつ個別に整列させて搬送することができる。
【００６４】
（実施の形態１、およびその変形例、および実施の形態２以外の例の説明）
なお、前記実施の形態１、およびその変形例、および実施の形態２においては、掻き寄せ板９、９を設けたものである。ところが、この発明においては、掻き寄せ板９、９を必ずしも設けなくても良い。
【００６５】
【発明の効果】
以上から明らかなように、この発明にかかる整列コンベア装置および整列搬送装置（請求項１）は、上流端側に搬送物を供給すると、その搬送物が整列搬送路により１個ずつ個別に整列されて下流端側に搬送され、一方、その整列搬送路から外れた搬送物が回収路により所定の回収場所に回収される。これにより、この発明にかかる整列コンベア装置および整列搬送装置（請求項１）は、搬送物を確実に１個ずつ個別に整列させて搬送することができる。
【００６６】
また、この発明にかかる整列コンベア装置および整列搬送装置（請求項２）は、上流端側に搬送物を供給すると、その搬送物が２本の整列桟により１個ずつ個別に整列され、かつ、乗り継ぎシュートにより後段側装置に搬送され、一方、２本の整列桟から外れた搬送物が下流端において乗り継ぎシュートの片側もしくは両側から所定の回収場所に回収される。これにより、この発明にかかる整列コンベア装置および整列搬送装置（請求項２）は、搬送物を確実に１個ずつ個別に整列させて搬送することができる。
【００６７】
また、この発明にかかる整列コンベア装置および整列搬送装置（請求項３）は、上流端側に搬送物を供給すると、その搬送物が整列搬送コンベアの２本の整列桟により１個ずつ個別に整列されて下流端側に搬送され、一方、整列搬送コンベアの２本の整列桟から外れた搬送物が回収コンベアの下流端から所定の回収場所に回収される。これにより、この発明にかかる整列コンベア装置および整列搬送装置（請求項３）は、搬送物を確実に１個ずつ個別に整列させて搬送することができる。
【００６８】
また、この発明にかかる整列コンベア装置および整列搬送装置（請求項４）は、掻き寄せ手段により搬送物を整列搬送路に強制的に掻き寄せるので、供給された搬送物を効率良くかつ確実に１個ずつ個別に整列させて搬送することができる。
【００６９】
また、この発明にかかる整列コンベア装置（請求項５）は、上流端側もしくは循環コンベア装置に搬送物を供給すると、その搬送物が整列搬送路により１個ずつ個別に整列されて下流端側に搬送され、一方、その整列搬送路から外れた搬送物が回収路により所定の回収場所に回収される。特に、この発明にかかる整列コンベア装置（請求項５）は、循環コンベア装置により、整列コンベア装置の下流端側から回収された搬送物を再度整列コンベア装置の上流端側に供給させることができる。これにより、この発明にかかる整列コンベア装置（請求項５）は、供給された搬送物を残すことなくかつ確実に１個ずつ個別に整列させて搬送することができる。
【図面の簡単な説明】
【図１】この発明の整列コンベア装置および整列搬送装置の実施の形態１を示す平面図である。
【図２】図１におけるＩＩ−ＩＩ線一部断面図である。
【図３】図１におけるＩＩＩ矢視図である。
【図４】整列桟の変形例を示し、（Ａ）は四角形の整列桟を示す一部断面図、（Ｂ）は三角形の整列桟を示す一部断面図、（Ｃ）は台形の整列桟を示す一部断面図である。
【図５】同じく、一部斜視図である。
【図６】同じく、側面図である。
【図７】この発明の整列コンベア装置および整列搬送装置の実施の形態１の変形例を示す斜視図である。
【図８】この発明の整列コンベア装置の実施の形態２を示す斜視図である。
【図９】この発明の整列コンベア装置の実施の形態２の変形例を示す正面図である。
【図１０】従来のコンベア式整列搬送装置を示す平面図ある。
【図１１】従来のターンテーブル式整列搬送装置を示す平面図ある。
【符号の説明】
１  整列コンベア装置
２  循環コンベア装置
３  後段側装置
４、４Ａ、４Ｂ、４Ｃ  搬送物
５  ベルトコンベア
６、６、６Ａ、６Ａ、６Ｂ、６Ｂ、６Ｃ、６Ｃ  ２本の整列桟（整列搬送路）
７  乗り継ぎシュート（整列搬送路）
８、８  回収路
９、９  掻き寄せ板（掻き寄せ手段）
１０  螺旋ベルトコンベア
１１  滑り止め用桟
１２  高低差付きのベルトコンベア
１３  整列コンベア装置
１４  整列搬送コンベア
１５、１５  回収コンベア
１６、１６  整列桟
【図１】
0003564379.tif 000002
【図２】
0003564379.tif 000003
【図３】
0003564379.tif 000004
【図４】
0003564379.tif 000005
【図５】
0003564379.tif 000006
【図６】
0003564379.tif 000007
【図７】
0003564379.tif 000008
【図８】
0003564379.tif 000009
【図９】
0003564379.tif 000010
【図１０】
0003564379.tif 000011
【図１１】
0003564379.tif 000012